(57)【特許請求の範囲】
【請求項１】
第１及び第２の収納部を有する容器本体と、前記第２の収納部に接続された薬剤排出口とを備えており、前記容器本体が、前記両収納部を仕切るとともに前記収納部内の圧力を高めることにより開封する仕切り用弱シール部を備え、少なくとも前記第１の収納部に液状薬剤が収納された医療用複室容器において、
前記容器本体は、前記第２の収納部と前記薬剤排出口との間を仕切る排出用弱シール部を備え、
前記排出用弱シール部が前記収納部内の圧力を高めることにより開封するとともに、前記排出用弱シール部を開封するために必要な圧力が、前記仕切り用弱シール部を開封するために必要な圧力より小さくすることで、
前記第１の収納部を押圧して前記仕切り用弱シール部が開封することによって前記両収納部が連通したときに、連通した前記両収納部を押圧して前記排出用弱シール部を開封するときの力を低減するように構成され、
前記容器本体がポリエチレンとポリプロピレンとの混合材料によるフィルムで形成され、
前記仕切り用弱シール部及び排出用弱シール部は、前記容器本体の両側のフィルム面を熱融着することにより形成され、
前記仕切り用弱シール部の融着強度が、前記容器本体の周縁部の融着強度より小さく、且つ前記排出用弱シール部の融着強度より大きいことを特徴とする医療用複室容器。
【請求項２】
第１及び第２の収納部を有する容器本体と、前記第２の収納部に接続された薬剤排出口とを備えており、前記容器本体が、前記両収納部を仕切るとともに前記収納部内の圧力を高めることにより開封する仕切り用弱シール部を備え、少なくとも前記第１の収納部に液状薬剤が収納された医療用複室容器において、
前記容器本体は、前記第２の収納部と前記薬剤排出口との間を仕切る排出用弱シール部を備え、
前記排出用弱シール部が前記収納部内の圧力を高めることにより開封するとともに、前記排出用弱シール部を開封するために必要な圧力が、前記仕切り用弱シール部を開封するために必要な圧力より小さくすることで、
前記第１の収納部を押圧して前記仕切り用弱シール部が開封することによって前記両収納部が連通したときに、連通した前記両収納部を押圧して前記排出用弱シール部を開封するときの力を低減するように構成され、
少なくとも１つの前記弱シール部は、前記容器本体の両側のうち一方のフィルム面に設けられた凸条部と、他方のフィルム面に設けられた凹条部とを弾性変形により離脱可能に嵌合することで構成されていることを特徴とする医療用複室容器。
【請求項３】
前記排出用弱シール部を補強する補強用シール部が設けられていることを特徴とする請求項１または２に記載の医療用複室容器。
【請求項４】
前記排出用弱シール部が、前記収納部に突出する少なくとも１つの突出部を備えるように形成されていることを特徴とする請求項１から３のいずれかに記載の医療用複室容器。
【請求項５】
前記仕切り用弱シール部が、前記収納部に突出する少なくとも１つの突出部を備えるように形成されていることを特徴とする請求項１から４のいずれかに記載の医療用複室容器。
【発明の詳細な説明】
【０００１】
【発明の属する技術分野】
本発明は、医療用複室容器、詳しくは同時に配合すると経時変化を起こすような不安定な各種薬剤（液剤、粉末若しくは固形剤）を個別に収納する複数の室を備え、各室間を仕切っている弱シール部を剥離開封することにより、各室内に収納されている薬剤を無菌状態で且つ異物を発生させることなしに混合できる医療用複室容器に関する。
【０００２】
【従来の技術】
静脈注射により患者に投与される薬剤の中には、予め配合すると望ましくない経時的変化を起こすような不安定な薬剤がある。例えばアミノ酸輸液とブドウ糖輸液を配合して保存しておくと、いわゆるメイラード反応によって混合液が褐変する。また、脂肪乳剤と電解質溶液とを配合して保存しておくと、脂肪分が凝集を生じ、リン酸含有液とカルシウム含有液を配合しておくと、リン酸カルシウムの沈殿を生じ、望ましくない変化を起こす。
【０００３】
このような薬剤には、混合前の成分を個別に収納する医療用複室容器が用いられることが多い。この医療用複室容器は、個別に薬剤を収納する複数の収納部と、収納部を仕切り、外部から圧力を加えることにより剥離し得る仕切り用弱シール部とを備えたものである。
【０００４】
図１０はそのような従来の医療用複室容器の一例を示す平面図であり、図１１は図１０のＸ―Ｘ線断面図である。
【０００５】
医療用複室容器の各収納部１０，１１には、予め混合或いは溶解しておくと望ましくない各種薬剤ａ，ｂがそれぞれ収納され、これらの薬剤ａ，ｂは仕切り用弱シール部２０により隔離された状態で使用時まで安全且つ確実に保存される。使用時に、収納部１０又は１１を押圧すると仕切り用弱シール部２０が剥離し、これにより両収納部１０，１１内が連通状態となり、両薬剤ａ，ｂを速やかに混合或いは溶解することができる。
【０００６】
更に医療用複室容器は、一端に掛吊孔３０を備え、他端にゴム栓を有する薬剤排出口３２を備える。患者に混合された薬剤を投与する際には、容器を掛吊孔３０で支柱等に吊り下げた後、容器の一端に設けられたゴム栓に刺栓針を刺入しカテーテルの先端の注射針から患者に投与する。
【０００７】
しかしながら、このような医療用複室容器は、薬剤排出口３２側の収納部１１に液剤を収納している場合が多く、仕切り用弱シール部２０を剥離せずに、ゴム栓に刺栓針を刺入し、薬剤排出口３２から液剤を取り出すという可能性がある。
【０００８】
【発明が解決しようとする課題】
本発明は、前記従来技術の問題点を解消すべく、確実に各収納部に収納されている薬剤を混合した後に患者に投与することを保証し、薬剤を誤って混合しないで患者に投与する事故を確実に防止し得る医療用複室容器を提供することを課題とする。
【０００９】
【課題を解決するための手段】
本発明の前記課題は、複数の収納部を有する容器本体と、前記収納部に接続された薬剤排出口とを備えており、前記容器本体が、前記収納部を仕切るとともに前記収納部内の圧力を高めることにより開封する仕切り用弱シール部を備え、前記複数の収納部の少なくとも１つに液状薬剤が収納された医療用複室容器において、前記容器本体は、少なくとも１つの前記収納部と前記薬剤排出口との間を仕切る排出用弱シール部を備え、前記排出用弱シール部が前記収納部内の圧力を高めることにより開封するとともに、前記排出用弱シール部を開封するために必要な圧力が、前記仕切り用弱シール部を開封するために必要な圧力より小さいことを特徴とする医療用複室容器により達成される。
【００１０】
前記容器本体は、ポリエチレンとポリプロピレンとの混合材料によるフィルムで形成され、前記仕切り用弱シール部及び排出用弱シール部は、前記容器本体の両側のフィルム面を熱融着することにより形成され、前記仕切り用弱シール部の融着強度が、前記容器本体の周縁部の融着強度より小さく、且つ前記排出用弱シール部の融着強度より大きいものとすることができる。
【００１１】
少なくとも１つの前記弱シール部は、前記容器本体の両側のうち一方のフィルム面に設けられた凸条部と、他方のフィルム面に設けられた凹条部とを弾性変形により離脱可能に嵌合することで構成されているものとすることができる。
【００１２】
前記医療用複室容器は、前記排出用弱シール部を補強する補強用シール部が設けられたものとすることができる。
【００１３】
前記排出用弱シール部は、前記収納部に突出する少なくとも１つの突出部を備えるように形成されたものとすることができる。
【００１４】
前記仕切り用弱シール部は、前記収納部に突出する少なくとも１つの突出部を備えるように形成されたものとすることができる。
【００１５】
【発明の実施の形態】
以下、本発明に係る医療用複室容器の実施形態について図面を参照しつつ説明する。以下の説明においては、複数の実施形態を通じて、同一又は同種の部分に同一の符号を付す。
【００１６】
まず、本発明に係る医療用複室容器の第１実施形態について詳細に説明する。図１は第１実施形態に係る医療用複室容器の斜視図であり、図２は図１の医療用複室容器の平面図である。
【００１７】
図１に示すように、医療用複室容器１は、周縁部２が融着され矩形状に形成された容器本体３と、この容器本体３に接続されゴム栓を有する薬剤排出口３２とを備えている。容器本体３は、長手方向に並べて配置された第１収納部１０及び第２収納部１１を有しており、２つの収納部１０，１１は剥離可能な仕切り用弱シール部２０で仕切られている。上記した薬剤排出口３２は、第２収納部１１に接続されており、薬剤排出口３２と第２収納部１１とは剥離可能な排出用弱シール部２１によって仕切られている。また、各収納部１０，１１には、予め混合或いは溶解しておくと望ましくない各種薬剤ａ，ｂがそれぞれ収納されている。ここでは、薬剤ａが液状薬剤、薬剤ｂが粉末状薬剤とされている。
【００１８】
この医療用複室容器１は、２枚の平層又は複層のフィルムの周縁部を熱融着又は接着することにより形成される袋状の容器とすることができる。フィルムの材質としては、ポリエチレン、ポリプロピレン、ポリスチレン等の熱可塑性樹脂等、種々の樹脂を採用することができる。
【００１９】
仕切り用弱シール部２０及び排出用弱シール部２１は、種々の態様により開封可能に形成される。例えば、医療用複室容器１を形成するフィルムの両側を熱融着によって接着し、仕切り用弱シール部２０及び排出用弱シール部２１を形成することができる。排出用弱シール部２１は、図１に示すように仕切り用弱シール部２０と平行に形成されることも可能であるし、例えば図３に示すように薬剤排出口３２の周囲に円弧状に形成されることも可能である。
【００２０】
排出用弱シール部２１を開封するために必要な圧力は、後述するように、仕切り用弱シール部２０を開封するために必要な圧力より小さいものとされる。このとき、排出用弱シール部２１と仕切り用弱シール部２０を開封するために必要な開封強度差（医療用複室容器を押圧したときの重量）は、例えば約５ｋｇ〜約１０ｋｇとするのが好ましい。
【００２１】
次に、上記のように構成された医療用複室容器の使用方法について説明する。容器内の薬剤を患者に投与するためには、まず、第１収納部１０を手で押さえる等して押圧し、収納部１０内の圧力を高める。これにより、仕切り用弱シール部２０が剥離して第１及び第２収納部１０，１１が連通し、各収納部１０，１１内の薬剤ａ，ｂが混合される。続いて、薬剤排出口３２のゴム栓に刺栓針を刺入した後、第１及び第２収納部１０，１１全体を押圧して、連通した収納部１０，１１内全体の圧力を高め、排出用弱シール部２１を剥離させる。この場合、排出用弱シール部２１を剥離した後に、刺栓針を刺入してもよい。こうして、容器１内の混合薬剤は、排出口３２からカテーテルを経て患者に投与される。
【００２２】
以上のように本実施形態によれば、排出用弱シール部２１が設けられ、第２収納部１１と排出口３２とが直接連通していないため、例えば仕切り用弱シール部２０を開封する前に、誤って排出口３２に刺栓針を刺入した場合であっても、第２収納部１１内の混合前の薬剤ｂが排出口３２から排出されるのが防止される。この場合、刺栓針を刺入しても排出口３２からは薬剤が排出されないため、使用者は、このことにより排出用弱シール部２１及び仕切り用弱シール部２０が開封していないことを認識することができる。したがって、排出用弱シール部２１を設けることにより、適切な使用方法、つまり仕切り用弱シール部２０を開封した後に、排出用弱シール部２１を開封するという正しい順序での使用を喚起することができる。
【００２３】
また、排出用弱シール部２１を開封するための圧力が、仕切り用弱シール部２０を開封するための圧力より小さくされているため、次のような利点がある。上記のように、この容器１は仕切り用弱シール部２０を開封して２つの薬剤を混合した後に、排出用弱シール部２１を開封する。ここで、仕切り用弱シール部２０を開封する際には、第１収納部１０のみを押圧すればよいが、排出用弱シール部２１を開封する際には、第１及び第２収納部１０，１１全体を押圧しなければならない。そのため、例えば両シール部２０，２１の剥離強度が同一である場合に排出用弱シール部２１を開封するには、仕切り用弱シール部２０を開封するより大きな力が必要になり、開封が困難になる。そこで、上記のように排出用弱シール部２１の開封圧力を小さくしておくと、押圧面積が広くても、容易に開封することができる。
【００２４】
排出用弱シール部２１及び仕切り用弱シール部２０の開封圧力を調整するためには、以下に示すような、種々の方法を用いることができる。例えば、容器本体３をポリエチレン（ＰＥ）で形成すると、融着強度を調整することで、開封圧力を調整することができる。融着強度の差を設けるには、例えば、仕切り用弱シール部２０の加熱融着時間を、容器本体の周縁部２の加熱融着時間より短く、且つ排出用弱シール部２１の加熱融着時間より長くする。或いは、仕切り用弱シール部２０の融着圧力を、容器本体３の周縁部２の融着圧力より低く、且つ排出用弱シール部２１の融着圧力より高い圧力で行うことにより、融着強度を調整することが可能である。このとき、容器本体３の周縁部２は仕切り用弱シール部２０より融着強度が高くされているので、仕切り用弱シール部２０が開封した後においても容器本体３の周縁部２が開封することが防止され、収納部１０，１１より薬剤が漏出することが防止される。
【００２５】
また、各シール部２０，２１の幅を調整することによっても排出用弱シール部２１の開封圧力を仕切り用弱シール部２０よりも小さくすることができる。すなわち、排出用弱シール部２１の幅を、仕切り用弱シール部２０の幅よりも狭くすることにより、排出用弱シール部２１の剥離強度を低くすることができる。このようにすると、両弱シール部２０，２１における融着時間或いは融着圧力を同一にしたままで、両弱シール部２０，２１の剥離強度に差を設けることができるため、容器１の製造時間の短縮や製造コストの低減が可能になる。
【００２６】
また、次のような突出部を排出用弱シール部に設けることで、排出用弱シール部の剥離に必要な圧力を相対的に低くすることができる。以下、本発明の第２実施形態について説明する。図４は第２実施形態に係る医療用複室容器の平面図であり、図５（ａ）は突出部の作用を説明する平面図、図５（ｂ）は図５（ａ）のＡ−Ａ線断面図である。
【００２７】
図４に示すように、この医療用複室容器１では、仕切り用弱シール部２０と排出用弱シール部２１とが同一の幅で形成されるとともに、同一の融着時間及び融着圧力で融着されている。また、排出用弱シール部２１は、その中間にＶ字形に形成され第２収納部１１側を向く突出部２１ａを備えており、以下に示すように、この突出部２１ａによって排出用弱シール部２１の開封圧力を小さくすることができる。
【００２８】
図５（ａ）に示すように、収納部１０，１１内の圧力が高くなると、排出用弱シール部２１には図中の矢印の方向に圧力が作用する。このとき、圧力はシール部２１に対して垂直に且つ等しく作用するため、突出部２１ａの頂部Ｂ付近の領域に作用する総圧力は、シール部２１の他の領域に比べて高くなる。こうして、図５（ｂ）に示すように、この圧力は容器本体３を構成するフィルムを離間させる方向に作用し、収納部１０，１１内の圧力が高くなると、排出用弱シール部２１は、突出部２１ａの頂部Ｂから剥離を開始する。これにより、圧力の作用下に剥離が急速に進行し、第２収納部１１と排出口３２とが連通する。
【００２９】
以上のように本実施形態では、排出用弱シール部２１にＶ字形の突出部２１ａを設けているため、収納部１０，１１に圧力を加えたときに、小さい圧力で突出部２１ａが剥離を開始し、排出用弱シール部２１を容易に開封させることができる。したがって、仕切り用弱シール部２０の開封圧力よりも低い圧力で排出用弱シール部２１を開封することができる。
【００３０】
また、この実施形態では、排出用弱シール部２１の形状のみを変化させただけで、排出用弱シール部２１の剥離に必要な圧力を低くすることができるため、両弱シール部２０，２１の融着時間等を調整する必要がなく、同一の条件で両弱シール部２０，２１を融着することができる。その結果、容器１の製造時間の短縮や製造コストの低減が可能になる。特に、仕切り用弱シール部２０と排出用弱シール部２１とが同一の幅で形成されているため、融着のムラをなくすることができ、両弱シール部２０，２１全体を均一に融着することができる。
【００３１】
なお、突出部２１ａの数は、１つに限定されるものではなく、２つ以上設けることができ、形状についてもＶ字形以外に、圧力が集中しやすい突部を備えた形状であればよい。また、上記のように開封圧力に適度な差が設けられていれば、仕切り用弱シール部２０および排出用弱シール部２１の双方に突出部を形成することもできる。また、仕切り用弱シール部２０のみに突出部を設けることもできる。
【００３２】
ところで、上記のように排出用弱シール部２１の剥離強度を小さくすると、例えば、容器１を誤って落としたときに、その衝撃によって排出用弱シール部２１が開封するおそれがある。そこで、排出用弱シール部２１を補強するため、次のような補強用シール部を設けることができる。以下、本発明の第３実施形態について図面を参照しつつ説明する。図６は第３実施形態に係る医療用複室容器の平面図である。
【００３３】
図６に示すように、本実施形態では、排出用弱シール部２１が排出口３２を囲むように円弧状に形成されている。排出用弱シール部２１の両側及び頂部から所定間隔をおいた３つの位置には、矩形状の補強用シール部２３が設けられている。これら補強用シール部２３は、容器本体３の周縁部２とほぼ同等の剥離強度、つまり両弱シール部２０，２１より強く、通常の使用の際には周縁部２と同様に剥離しない強度を有している。
【００３４】
また、排出用弱シール部２１の側方に配置されている一対の補強用シール部２３には、容器本体３の側方周縁部２へ延びる案内用シール部２４が連結されている。この案内用シール部２４は、補強用シール部２３とほぼ同等の剥離強度を有しており、排出用弱シール部２１が剥離したときに、第２収納部１１内の薬剤を排出口３２へ案内してすべての薬剤を容器１から排出させる役割を果たす。
【００３５】
上記のように構成された医療用複室容器１では、排出用弱シール部２１の周囲に補強用シール部２３が設けられているため、例えば、誤って容器１を床に落して容器１の側部から衝撃が加わった場合であっても、補強用シール部２３によりこの衝撃が遮断され、排出用弱シール部２１に衝撃が伝達するのを防止することができる。その結果、比較的弱い排出用弱シール部２１が衝撃によって使用前に剥離するのを防止することができる。なお、補強用シール部２３は、排出用弱シール部２１の頂部と対向する位置にも設けられているため、容器１の長手方向から加わる衝撃に対しても有効に作用し、排出用弱シール部２１が使用前に誤って剥離するのを防止することができる。
【００３６】
この補強用シール部２３は、上記のように排出用弱シール部２１から所定間隔をおいて配置する以外に、図７に示すように、排出用弱シール部２１がシールされた後に、その側部と重ねるようにシールすることもできる。
【００３７】
上記各実施形態の医療用複室容器では、２種類の薬剤を混合可能に構成されているが、これに限定されるものではなく、３以上の収納部を備えるものであってもよい。
【００３８】
また、上記各実施形態では、各弱シール部２０，２１をフィルム面同士の熱融着により構成しているが、弱シール部を次のように構成することもできる。図８（ａ）に示すように、この複室容器では、容器本体３の両側のうち一方のフィルム面３ａに断面円形の凸条部３５が設けられるとともに、他方の面３ｂに断面Ｕ字形の凹条部３６が設けられている。そして、これらを弾性変形により離脱可能に嵌合することで弱シール部２０，２１を構成している。また、上記各実施形態と同様に、排出用弱シール部２１の開封強度は、仕切り用弱シール部２０より小さくされている。このように弱シール部２０，２１を、凸条部３５と凹条部３６との嵌合により構成することで、次の効果を得ることができる。すなわち、弱シール部をフィルム面の熱融着により構成する場合に、融着面に、例えば薬剤の粉末や水滴が飛散していると、十分な融着強度を得ることができない場合がある。これに対して、上記のように弱シール部２０，２１を凹凸嵌合により構成すると、薬剤がシール部分に飛散している場合であっても、確実なシール強度を得ることができる。
【００３９】
上記のような弱シール部２０，２１の開封強度の差を設けるには、種々の方法を採ることができる。例えば、凹条部３６の肉厚を厚くすると弾性変形がされにくくなるため開封強度を大きくすることができる。また、凸条部３５或いは凹条部３６における嵌合面に微小な凹凸を設け、両者の摩擦力を大きくすることでも開封強度を大きくすることができる。
【００４０】
凸条部３５及び凹条部３６の形状は、上記したものに限定されるものではなく、凸条部３５及び凹条部３６が離脱可能に嵌合するように構成されていればよい。例えば、図８（ｂ）示すように、凸条部３５を断面鈎型に形成するとともに、これに係止可能な係止片３６ａを備えるように凹条部３６を形成することもできる。また、凸条部３５及び凹条部３６は、図８に示すように、別途作成した部材をフィルム面３ａ，３ｂに取り付けるようにしてもよいし、或いはフィルム面３ａ，３ｂと一体的に形成することもできる。
【００４１】
また、上記各実施形態において、各弱シール部２０，２１が周縁部２と連結する部分は、図９に示すように、Ｕ字形のシール部２７を介して周縁部２と連結するようにすることができる。こうすることにより、弱シール部２０，２１の端部を直接周縁部２と連結する場合に比べ、融着時におけるピンホールの発生率を低減することができる。
【００４２】
【発明の効果】
以上から明らかなように、本発明の医療用複室容器によれば、仕切り用弱シール部及び排出用弱シール部が収納部内の圧力を高めることにより開封する構造において、前記排出用弱シール部を開封するために必要な圧力が、前記仕切り用弱シール部を開封するために必要な圧力より小さい構成とすることにより、次の効果を得ることができる。排出用弱シール部は、仕切り用弱シール部を開封して収納部内の薬剤を混合した後に開封されるが、この場合、排出用弱シール部を開封するためには、連通した収納部全体を押圧して圧力を高める必要がある。そこで、排出用弱シール部を仕切り用弱シール部より小さい圧力で開封するようにすることで、収納部全体を押圧する力、つまり排出用弱シール部を開封するための力を弱くすることができ、排出用弱シール部を容易に開封することができる。
【００４３】
また、容器本体がポリエチレンとポリプロピレンとの混合材料によるフィルムで形成され、前記仕切り用弱シール部及び排出用弱シール部は、前記容器本体の両側のフィルム面を熱融着することにより形成され、両シール部の融着の際の加熱温度、圧力等の差を設け、仕切り用弱シール部の融着強度が、容器本体の周縁部の融着強度より小さく、且つ前記排出用弱シール部の融着強度より大きい構成とすることにより、仕切り用弱シール部を開封した後に、連通した収納部全体を小さい力で押圧しても容易に排出用弱シール部を開封することができる。
【００４４】
また、容器本体の両側のうち一方のフィルム面に凸条部を設けるとともに、他方のフィルム面に凹条部を設け、これらを弾性変形により離脱可能に嵌合して弱シール部を構成することにより、次のような効果を得ることができる。すなわち、弱シール部をフィルム面の熱融着により構成する場合に、例えば融着面に薬剤が飛散していると、十分なシール強度を得られないことがあるが、上記のように凹凸嵌合で弱シール部を構成すると、シール部分に薬剤が飛散していたとしても、確実なシール強度を得ることができる。
【００４５】
ここで、排出用弱シール部を補強する補強用シール部を設けておくと、例えば容器を落としたときのように容器に衝撃が加わった場合であっても、排出用弱シール部が誤って開封するのを防止することができる。
【００４６】
また、排出用弱シール部に突出部を設けると、収納部に圧力を加えたときに、小さい圧力で突出部が剥離を開始し、排出用弱シール部を容易に開封させることができる。
【図面の簡単な説明】
【図１】本発明に係る医療用複室容器の第１実施形態の斜視図である。
【図２】図１の医療用複室容器の平面図である。
【図３】第１実施形態の医療用複室装置の他の例を示す平面図である。
【図４】本発明に係る医療用複室容器の第２実施形態を示す平面図である。
【図５】第２実施形態の排出用弱シール部における突出部の作用を説明する図である。
【図６】本発明に係る医療用複室容器の第３実施形態を示す平面図である。
【図７】第３実施形態の医療用複室容器の他の例を示す平面図である。
【図８】弱シール部の他の例を示す断面図である。
【図９】弱シール部と容器周縁部との連結の一例を示す図である。
【図１０】従来の医療用複室容器の一例を示す平面図である。
【図１１】図９のＸ―Ｘ線矢視断面図である。
【符号の説明】
１    医療用複室容器
２    周縁部
３    容器本体
１０，１１  収納部
２０    仕切り用弱シール部
２１    排出用弱シール部
２１ａ  突出部
２３    補強用シール部
３２    薬剤排出口
３５    凸条部
３６    凹条部
【図１】
0004081650.tif 000002
【図２】
0004081650.tif 000003
【図３】
0004081650.tif 000004
【図４】
0004081650.tif 000005
【図５】
0004081650.tif 000006
【図６】
0004081650.tif 000007
【図７】
0004081650.tif 000008
【図８】
0004081650.tif 000009
【図９】
0004081650.tif 000010
【図１０】
0004081650.tif 000011
【図１１】
0004081650.tif 000012